【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
２つ以上の送信時間間隔において送信された基準信号が結合可能であるという指示を受信すること、ここにおいて、前記基準信号は、グループ識別またはユーザ機器（ＵＥ）識別に関連するリソースを使用して送信される、と、
前記リソースは、前記指示に関するレガシー領域および前記基準信号に関する低レイテンシー領域を備える、
前記低レイテンシー領域の送信時間間隔は、前記レガシー領域の送信時間間隔よりも小さい継続時間を備える、
前記２つ以上の送信時間間隔中に送信物を受信することと、
前記指示に少なくとも部分的に基づいて前記２つ以上の送信時間間隔中に前記送信物に含められた前記基準信号を結合することと、を備える、ワイヤレス通信のための方法。
【請求項２】
前記指示を前記受信することは、
１つまたは複数の送信時間間隔に関するダウンリンクグラントを受信することと、
前記ダウンリンクグラントに少なくとも部分的に基づいて前記２つ以上の送信時間間隔からの前記基準信号が結合されることができると決定することと、を備える、
請求項１に記載の方法。
【請求項３】
前記２つ以上の送信時間間隔は、非連続的な送信時間間隔の所定の数内である、
請求項２に記載の方法。
【請求項４】
前記指示は、スケジューリンググラントを通じて受信される請求項１に記載の方法。
【請求項５】
スクランブリングシーケンスにより基準信号の存在を決定することをさらに備え、ここにおいて、前記グループ識別は、前記スクランブリングシーケンスと関連される、
請求項１に記載の方法。
【請求項６】
前記結合することは、
前記２つ以上の送信時間間隔のうちの第２の送信時間間隔中に前記２つ以上の送信時間間隔のうちの第１の送信時間間隔および前記第２の送信時間間隔からの基準信号を結合することと、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの基準信号を結合することと、を備える、
請求項１に記載の方法。
【請求項７】
物理ダウンリンク共有チャネル（ＰＤＳＣＨ）送信は、前記基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
請求項６に記載の方法。
【請求項８】
ワイヤレス通信のための装置であって、
２つ以上の送信時間間隔において送信された基準信号が結合可能であるという指示を受信するための手段、ここにおいて、前記基準信号は、グループ識別またはユーザ機器（ＵＥ）識別に関連するリソースを使用して送信される、と、
前記リソースは、前記指示に関するレガシー領域および前記基準信号に関する低レイテンシー領域を備える、
前記低レイテンシー領域の送信時間間隔は、前記レガシー領域の送信時間間隔よりも小さい継続時間を備える、
前記２つ以上の送信時間間隔中に送信物を受信するための手段と、
前記指示に少なくとも部分的に基づいて前記２つ以上の送信時間間隔中に前記送信物に含められた前記基準信号を結合するための手段と、を備える、ワイヤレス通信のための装置。
【請求項９】
前記指示を受信するための前記手段は、
１つまたは複数の送信時間間隔に関するダウンリンクグラントを受信するための手段と、
前記ダウンリンクグラントに少なくとも部分的に基づいて前記２つ以上の送信時間間隔からの前記基準信号が結合されることができると決定するための手段と、を備える、
請求項８に記載の装置。
【請求項１０】
前記２つ以上の送信時間間隔は、非連続的な送信時間間隔の所定の数内である、
請求項８に記載の装置。
【請求項１１】
前記指示を受信するための前記手段は、スケジューリンググラントを通じて前記指示を受信するために動作可能である、
請求項８に記載の装置。
【請求項１２】
前記グループ識別は、スクランブリングシーケンスに関連され、および、ここにおいて、前記指示を受信するための前記手段は、
前記スクランブリングシーケンスにより基準信号の存在を決定するための手段を備える、
請求項８に記載の装置。
【請求項１３】
結合するための前記手段は、
前記２つ以上の送信時間間隔のうちの第２の送信時間間隔中に前記２つ以上の送信時間間隔のうちの第１の送信時間間隔および前記第２の送信時間間隔からの前記基準信号を結合するための手段と、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの前記基準信号を結合するための手段と、を備える、
請求項８に記載の装置。
【請求項１４】
物理ダウンリンク共有チャネル（ＰＤＳＣＨ）送信は、前記基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
請求項１３に記載の装置。
【請求項１５】
コンピュータ上で実行されるとき、請求項１から７のうちの一項に記載の方法を実行するための命令を備える、コンピュータプログラム。
【手続補正２】
【補正対象書類名】明細書
【補正対象項目名】０１１５
【補正方法】変更
【補正の内容】
【０１１５】
[00135]本開示の前の説明は、当業者が本開示を製造または使用することを可能にするために提供される。本開示に対する様々な変更は、当業者にとって容易に明確になるであろう、および本明細書において定められる一般原理は、本開示の適用範囲から逸脱せずに他の変形に対して適用され得る。以上のように、本開示は、本明細書において説明される例および設計に限定されるものではなく、本明細書において開示される原理および新規の特徴に一致する限りにおいて最も広範な適用範囲が認められるべきである。
以下に本願の出願当初の特許請求の範囲に記載された発明を付記する。
［Ｃ１］
ワイヤレス通信のための方法であって、
２つ以上の送信時間間隔において送信された基準信号が結合可能であるという指示を受信すること、ここにおいて、前記基準信号は、グループ識別またはユーザ機器（ＵＥ）識別に関連するリソースを使用して送信される、と、
前記２つ以上の送信時間間隔中に送信物を受信することと、
前記指示に少なくとも部分的に基づいて前記２つ以上の送信時間間隔中に前記送信物に含められた前記基準信号を結合することと、を備える、ワイヤレス通信のための方法。
［Ｃ２］
前記指示は、明示のシグナリングを通じて受信される、
Ｃ１に記載の方法。
［Ｃ３］
前記指示は、１つまたは複数の信号において受信される、
Ｃ１に記載の方法。
［Ｃ４］
前記指示を前記受信することは、
１つまたは複数の送信時間間隔に関するダウンリンクグラントを受信することと、
前記ダウンリンクグラントに少なくとも部分的に基づいて前記２つ以上の送信時間間隔からの前記基準信号が結合されることができると決定することと、を備える、
Ｃ１に記載の方法。
［Ｃ５］
前記２つ以上の送信時間間隔は、連続する送信時間間隔である、
Ｃ４に記載の方法。
［Ｃ６］
前記２つ以上の送信時間間隔は、非連続的な送信時間間隔の所定の数内である、
Ｃ４に記載の方法。
［Ｃ７］
前記指示は、スケジューリンググラントを通じて受信されるＣ１に記載の方法。
［Ｃ８］
前記指示は、前記スケジューリンググラントを送信するために使用される制御チャネルフォーマットを通じて受信される、
Ｃ７に記載の方法。
［Ｃ９］
前記基準信号の前記結合は、前記スケジューリンググラントおよび少なくとも１つ他の送信物が連続する送信時間間隔の設定された数内に送信されると決定することに少なくとも部分的に基づいて決定される、
Ｃ７に記載の方法。
［Ｃ１０］
スクランブリングシーケンスにより基準信号の存在を決定することをさらに備え、ここにおいて、前記グループ識別は、前記スクランブリングシーケンスと関連される、
Ｃ１に記載の方法。
［Ｃ１１］
前記基準信号は、前記基準信号に関連する前記グループ識別が前記２つ以上の送信時間間隔において同じであるときに結合される、
Ｃ１に記載の方法。
［Ｃ１２］
前記結合することは、
前記２つ以上の送信時間間隔のうちの第２の送信時間間隔中に前記２つ以上の送信時間間隔のうちの第１の送信時間間隔および前記第２の送信時間間隔からの基準信号を結合することと、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの基準信号を結合することと、を備える、
Ｃ１に記載の方法。
［Ｃ１３］
物理ダウンリンク共有チャネル（ＰＤＳＣＨ）送信は、前記基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
Ｃ１２に記載の方法。
［Ｃ１４］
前記２つ以上の送信時間間隔は、各々、第２のタイプの送信時間間隔の継続時間よりも小さい継続時間を有する第１のタイプの送信時間間隔を備える、
Ｃ１に記載の方法。
［Ｃ１５］
ワイヤレス通信のための装置であって、
２つ以上の送信時間間隔において送信された基準信号が結合可能であるという指示を受信するための手段、ここにおいて、前記基準信号は、グループ識別またはユーザ機器（ＵＥ）識別に関連するリソースを使用して送信される、と、
前記２つ以上の送信時間間隔中に送信物を受信するための手段と、
前記指示に少なくとも部分的に基づいて前記２つ以上の送信時間間隔中に前記送信物に含められた前記基準信号を結合するための手段と、を備える、ワイヤレス通信のための装置。
［Ｃ１６］
前記指示を受信するための前記手段は、
明示のシグナリングを通じて前記指示を受信するための手段を備える、
Ｃ１５に記載の装置。
［Ｃ１７］
前記指示を受信するための前記手段は、１つまたは複数の制御信号において前記指示を受信するために動作可能である、
Ｃ１５に記載の装置。
［Ｃ１８］
前記指示を受信するための前記手段は、
１つまたは複数の送信時間間隔に関するダウンリンクグラントを受信するための手段と、
前記ダウンリンクグラントに少なくとも部分的に基づいて前記２つ以上の送信時間間隔からの前記基準信号が結合されることができると決定するための手段と、を備える、
Ｃ１５に記載の装置。
［Ｃ１９］
前記２つ以上の送信時間間隔は、連続する送信時間間隔である、
Ｃ１８に記載の装置。
［Ｃ２０］
前記２つ以上の送信時間間隔は、非連続的な送信時間間隔の所定の数内である、
Ｃ１８に記載の装置。
［Ｃ２１］
前記指示を受信するための前記手段は、スケジューリンググラントを通じて前記指示を受信するために動作可能である、
Ｃ１５に記載の装置。
［Ｃ２２］
前記指示を受信するための手段は、前記スケジューリンググラントを送信するために使用される制御チャネルフォーマットを通じて前指示を受信するために動作可能である、  Ｃ２１に記載の装置。
［Ｃ２３］
前記基準信号の前記結合は、前記スケジューリンググラントおよび少なくとも１つ他の送信物が連続する送信時間間隔の設定された数内に送信されると決定することに少なくとも部分的に基づいて決定される、
Ｃ２１に記載の装置。
［Ｃ２４］
前記グループ識別は、スクランブリングシーケンスに関連され、および、ここにおいて、前記指示を受信するための前記手段は、
前記スクランブリングシーケンスにより基準信号の存在を決定するための手段を備える、
Ｃ１５に記載の装置。
［Ｃ２５］
前記基準信号に関連する前記グループ識別が前記２つ以上の送信時間間隔において同じであるときに前記基準信号を結合するための手段をさらに備える、
Ｃ１５に記載の装置。
［Ｃ２６］
結合するための前記手段は、
前記２つ以上の送信時間間隔のうちの第２の送信時間間隔中に前記２つ以上の送信時間間隔のうちの第１の送信時間間隔および前記第２の送信時間間隔からの前記基準信号を結合するための手段と、
前記２つ以上の送信時間間隔のうちの第３の送信時間間隔中に前記２つ以上の送信時間間隔のうちの前記第１の送信時間間隔、前記第２の送信時間間隔、および前記第３の送信時間間隔からの前記基準信号を結合するための手段と、を備える、
Ｃ１５に記載の装置。
［Ｃ２７］
物理ダウンリンク共有チャネル（ＰＤＳＣＨ）送信は、前記基準信号が少なくとも前記第１の送信時間間隔および前記第２の送信時間間隔にわたって結合されるまで最初の低いランクを使用し、および、ＰＤＳＣＨ送信は、前記第２の送信時間間隔に引き続いてより高いランクを使用する、
Ｃ２６に記載の装置。
［Ｃ２８］
前記２つ以上の送信時間間隔は、各々、第２のタイプの送信時間間隔の継続時間よりも小さい継続時間を有する第１のタイプの送信時間間隔を備える、
Ｃ１５に記載の装置。
［Ｃ２９］
ワイヤレス通信のための装置であって、
プロセッサと、
前記プロセッサと電子的通信状態にあるメモリと、
前記メモリに格納された命令と、を備え、前記命令は、
２つ以上の送信時間間隔において送信された基準信号が結合可能であるという指示を受信し、ここにおいて、前記基準信号は、グループ識別またはユーザ機器（ＵＥ）識別に関連するリソースを使用して送信され、
前記２つ以上の送信時間間隔中に送信物を受信し、および、
前記指示に少なくとも部分的に基づいて前記２つ以上の送信時間間隔中に前記送信物に含められた前記基準信号を結合するために前記プロセッサによって実行可能である、ワイヤレス通信のための装置。
［Ｃ３０］
ワイヤレス通信のためのコンピュータによって実行可能なコードを格納する非一時的なコンピュータ可読媒体であって、前記コードは、
２つ以上の送信時間間隔において送信された基準信号が結合可能であるという指示を受信し、ここにおいて、前記基準信号は、グループ識別またはユーザ機器（ＵＥ）識別に関連するリソース内で送信され、
前記２つ以上の送信時間間隔中に送信物を受信し、および、
前記指示に少なくとも部分的に基づいて前記２つ以上の送信時間間隔中に前記送信物に含められた前記基準信号を結合するためにプロセッサによって実行可能である、非一時的なコンピュータ可読媒体。